(57)【要約】      （修正有）【課題】安定して昇降することができるテーブル本体脚柱の安定昇降構造を提供する。【解決手段】天板１０、支持横梁２０及び脚柱３０、４０で構成し、天板１０底部の支持横梁２０両端の脚柱３０、４０はそれぞれ内筒体３１、４１及び外筒体３２、４２の入れ子構造とし、一方の内筒体内に伸縮シリンダーを設けて脚柱３１を伸縮動作可能とし、各内筒体内に滑車を設けた支持棒６０、７０を配置して各外筒体の頂側にそれぞれガイドホイールを設け、長いケーブル３４、４４を内筒体３１、４１の頂端から下降して滑車を経て外筒体頂側のガイドホイールを巻回し、短いケーブル３５、４５は内筒体３１、４１の頂端固定端から頂側ガイドホイールを巻回し、長短のケーブルを支持横梁２０中でプルアジャスター６２、７２を介して長短交互に接続する。一方の内筒体内に設けたシリンダーの伸縮操作により、脚柱３０、４０は連動して伸縮してテーブルの高さ調整する。【選択図】図１
0003229666.tif 000002
【実用新案登録請求の範囲】
【請求項１】
天板、一組の支持横梁及び二組の脚柱を含み、
天板の底部に支持横梁を設けて、該支持横梁の両端にはそれぞれ一組の脚柱を接続し、
各組の脚柱はそれぞれ内筒体、外筒体を入れ子に組み合わせた伸縮構造として天板の高さを昇降して調整可能とし、
前記二組の脚柱のうち一組の脚柱の内部に伸縮シリンダーを設けて、該伸縮シリンダーのシリンダー本体とシリンダーロッドはそれぞれ該一組の脚柱の内筒体の底端と外筒体の頂端と接続固定し，
上記伸縮シリンダーの制御パーツ部位に接続した圧力制御台に設けたプーラーを介して天板底部に設けたプルハンドルの操作により伸縮シリンダーを伸縮動作可能とし、
上記各内筒体に下方に滑車を設けた支持棒を設置し、
それぞれ長短二組づつのケーブルの一端を内筒上端に固定すると共に
長いケーブルの他端を下降して該支持棒下方の滑車を巻回して反転上昇して、外筒体上端側に設けたガイドホイールに巻回し、
短いケーブルの他端を外筒体上端のガイドホイールを巻回し、
これら長短のケーブルのフリーエンドを前記支持横梁内を経由してその両端を長短交互にプルアジャスターで連結し、
前記伸縮シリンダーのプルハンドル操作によりシリンダーが伸縮することにより、入れ子構造の二組の脚柱が前記長短のケーブルを介して同期して伸縮して天板の高さを調整することを特徴とする、テーブル本体脚柱の安定昇降構造。
【請求項２】
前記各組の脚柱の各内筒体端部外周面にそれぞれシャフトコラムセットを設けて、内筒体と外筒体の間において昇降する際の安定したガイドを行うインターフェイスとすることを特徴とする請求項１記載のテーブル本体脚柱の安定昇降構造。
【請求項３】
前記該支持横梁の両端にそれぞれ長さが異なる折畳金具を設けて、前記二組の脚柱を折り畳んで体積を小さくすることができることを特徴とする請求項１記載のテーブル本体脚柱の安定昇降構造。
【考案の詳細な説明】
【技術分野】
【０００１】
本考案はテーブル本体脚柱の安定昇降構造に関し、特に二組の脚柱のテーブル本体の昇降操作において、二組の脚柱をそれぞれ内筒体、外筒体を組合せて入れ子構造を構成し、うち一組の脚柱内に伸縮シリンダーを設置し、外部のプルハンドルのケーブルを介して操作・制御可能とし、二組の脚柱に設けた長・短のケーブルをそれぞれプルアジャスターを介して相互に連結して牽引して動作するプル型として二組の脚柱を連携して伸縮動作させることにより、二組の脚柱の昇降操作が同期・連動してより便利に、且つ安定して同時に昇降することができるテーブル本体脚柱の安定昇降構造に関する。
【背景技術】
【０００２】
従来技術の昇降テーブル本体はその昇降構造において、内筒体、外筒体で組み合わせた伸縮脚柱を利用するほか、内筒体に設けた数段の定位穴と外筒体の定位栓を嵌合させることで、昇降する高さの調整及び定位に達成するのみであった。また、スクリューとべべルギアを合わせ、ハンドホイールを回転して噛みあわせて連動する方法で達成することもあるが、構造が複雑である上、操作が大変面倒且つ不便であるため、次第に淘汰された。
【０００３】
昇降テーブルの高さ調整がより便利に実施できるよう、テーブル本体の脚柱の内部に油圧シリンダーを設置する試みをした業者がいる。油圧シリンダーのシリンダー本体とシリンダーロッドをそれぞれ脚柱の内筒体、外筒体と固定して接続し、油圧シリンダーのシリンダーロッドの伸長或いは押し込む動作を利用して脚柱の昇降をコントロールすることで、テーブル本体の昇降機能の操作を達成する。
【０００４】
しかし、油圧シリンダーを利用してテーブル本体を昇降する構造を、単一の脚柱のテーブル本体に使用する際には問題は生じないが、二本の脚柱のテーブル本体に使用する場合には、二つの脚柱内の油圧シリンダーがそれぞれ単独で作動するため、同時に等しく昇降するよう制御するには、難易度が大変高い。仮に二本の脚柱内にいずれも油圧シリンダーを設置する場合、全体の製造コストが高くなりすぎることを鑑みて、更なる改善が必要であった。
【先行技術文献】
【特許文献】
【０００５】
【特許文献１】特開２００５−１８５３２０号公報
【特許文献２】実開昭５０−３２１５５号公報
【考案の概要】
【考案が解決しようとする課題】
【０００６】
前記二本の脚柱テーブル本体を昇降操作する際に直面する操作上の不便、及び構造が複雑であるなどの問題を解決するため、本考案はテーブル本体の脚柱の内筒体、外筒体の間に滑車を使用し、内筒体の昇降をスムーズに行うことにより、組み合わせる難易度及び調整問題を解決するテーブル本体脚柱の安定昇降構造を提供することを主な課題とする。
【課題を解決するための手段】
【０００７】
前記課題を解決するため、本考案はテーブル本体脚柱の安定昇降構造を提供するものである。主に二組の脚柱は内筒体、外筒体で組み合わせたものであり、外部のプルハンドルよりケーブルで制御される伸縮シリンダーをうち一組の脚柱内に設置する。二組の脚柱内に設置する長い、短いケーブルは各一つのプルアジャスターを介して交互に連結して牽引プルタイプの動作を行わせて双方の脚柱の伸縮を同調して行わせることにより、二組の脚柱の昇降操作が更に便利となると共に、安定して同時に昇降することができる。
【０００８】
本考案のテーブル本体脚柱の安定昇降構造は、その組合せにより、単一の伸縮シリンダーが二組の脚柱にある長・短のケーブルを交互に連結して牽制するプル作用により、特に二組の脚柱が同時に昇降操作する効果を達成する。  操作がより便利になると同時に、当該構造及び製造コストは二つの伸縮シリンダーの構造と比べ、よりシンプルとなる。
【考案の効果】
【０００９】
本考案の構造により、二組の脚柱の昇降操作が更に便利となると共に、安定して同時に昇降することができる。
【図面の簡単な説明】
【００１０】
【図１】本考案の最良実施例の全体構造分解略図である。
【図２】本考案の最良実施例の構造断面略図である。
【図３】本考案の最良実施例の支持横梁内部構造の断面略図である。
【図４】本考案の最良実施例の内筒体、外筒体、シャフトコラムセットの局部構造分解略図である。
【図５】本考案の最良実施例の内筒体、外筒体、シャフトコラムセットの局部構造分解動作略図である。
【図６】本考案の最良実施例の内筒体、外筒体、シャフトコラムセットの別の局部構造分解略図である。
【図７】本考案の最良実施例の内筒体、外筒体、シャフトコラムセットの別の局部構造分解動作略図である。
【図８】本考案の最良実施例の支持横梁、圧力制御台、プーラー、ケーブル、プルハンドルの構造断面略図である。
【図９】本考案の最良実施例の支持横梁、脚柱、伸縮シリンダー、シリンダー本体、シリンダーロッド、制御パーツ、圧力制御台、プーラー、ケーブル、プルハンドルの構造断面略図(一)である。
【図１０】本考案の最良実施例の支持横梁、脚柱、伸縮シリンダー、シリンダー本体、シリンダーロッド、制御パーツ、圧力制御台、プーラー、ケーブル、プルハンドルの構造断面略図(二)である。
【図１１】本考案の最良実施例の支持横梁及び二つの脚柱の折畳金具を使って折り畳んだ後の体積減少略図である。
【図１２】本考案の最良実施例の支持横梁及び二つの脚柱の折畳金具を使って折り畳んだ後の体積減少略図である。
【図１３】本考案の最良実施例の支持横梁及び二つの脚柱の折畳金具を使って折り畳んだ後の体積減少略図である。
【考案を実施するための形態】
【００１１】
以下、本考案の構造と特徴および効果を、最良実施例と図面を参照しながら詳細に説明する。
【実施例】
【００１２】
図１から図１３に示すのは、本考案の最良実施例を説明したものである。図に示すように、本考案のテーブル本体脚柱の安定昇降構造において、天板１０の底部に一つの支持横梁２０を設ける。該支持横梁２０と天板１０の間には後述するケーブル類を収容する配置スペースを設け、該支持横梁２０の両端には二組の脚柱３０、４０をそれぞれ接続する。
また、二組の脚柱３０、４０を便利に折り畳んで収納できるように、該支持横梁２０の両端にそれぞれ長さが異なる折畳金具２１、２２を設けることで、該二組の脚柱３０、４０を折り畳んで、体積を小さくすることができる。
該二組の脚柱３０、４０はそれぞれ内筒体３１、４１及び外筒体３２、４２を入れ子構造に組み合わせたものである。各内筒体３１、４１端部の外周面にそれぞれ設けたシャフトコラムセット３３、４３は、内筒体３１、４１と外筒体３２、４２の間において、昇降する際に安定したガイドを行うインターフェイス（介そう体）となり、内筒体３１、４１、外筒体３２、４２の昇降作動を安定且つスムーズに保つ。
その中の一組の脚柱３０の内部に一つの伸縮シリンダー５０を設け、該伸縮シリンダー５０のシリンダー本体５１とシリンダーロッド５２はそれぞれ該一組の脚柱３０の内筒体３１の底端と外筒体３２の頂端に接続固定することで、伸縮シリンダー５０のシリンダーロッド５２が内方に進入する際に、内筒体３１がネスティングタイプ（入れ子構造）の動作を可能とする。
また、該伸縮シリンダー５０のシリンダーロッド５２の制御パーツ５３部位に、一組の圧力制御台５４を接続し、該圧力制御台５４に、シリンダーロッド５２の制御パーツ５３と接触するプーラー５５を設ける。該プーラー５５はケーブル５６と接続し、該ケーブル５６の別端は該天板１０底部の所定位置に設けたプルハンドル５７の操作による連動制御を受ける。該プルハンドル５７を引っ張ることで、ケーブル５６を介して該圧力制御台５４のプーラー５５を引っ張り、それにより該伸縮シリンダー５０のシリンダーロッド５２が伸長或いは押し込む動作を行って、脚柱３０の昇降操作機能が働く。
【００１３】
二組の脚柱３０、４０が同時に昇降するよう、各組の脚柱３０、４０の内筒体３１、４１にそれぞれ長、短のケーブル３４、４４、３５、４５を設けて、各長いケーブル３４、４４と短いケーブル３５、４５の一端をそれぞれ内筒体３１、４１の頂端の片側に固定して接続する。
筒体３１、４１内にそれぞれ滑車６１、７１を具有する支持棒６０、７０を配置し、各長いケーブル３４、４４はそれぞれ内筒体３１、４１の頂端の固定端から下降して内筒体３１、４１の下方で滑車６１、７１を卷回して反転し、内筒体３１、４１の頂側のガイドホイール３６、４６を巻回し  また、短いケーブル３５、４５はそれぞれ内筒体３１、４１の頂端の固定端から頂側のガイドホイール３７、４７を巻回し、これら長いケーブル３４、４４と短いケーブル３５、４５のフリーエンドを支持横梁２０の中を経由して、脚柱３０、４０の長いケーブル３４、４４と短いケーブル３５、４５とをそれぞれプルアジャスター６２、７２を介して長、短相互に接続する。
即ち、脚柱３０の長いケーブル３４と脚柱４０の短いケーブル３５はプルアジャスター６２を介して相互に接続する。脚柱３０の短いケーブル４５はプルアジャスター７２を介して脚柱４０の長いケーブル４４と相互に接続する。
上記伸縮シリンダー５０によって脚柱３０の内筒体３１と外筒体３２の入れ子構造による伸縮動作を制御して昇降動作を行うと、二組の脚柱３０、４０の長いケーブル３４、４４、短いケーブル３５、４５が相互に牽引するプル作用により、他方の脚柱の内筒体と外筒体との間の昇降動作を制御し、よって双方の脚柱により同期して同時に昇降する効果を達成することができ、それにより天板１０、脚柱３０、４０が安定して昇降操作する機能を持つ。
【００１４】
上記の説明により、本考案が二組の脚柱を備えるテーブル本体の昇降操作について、一組のみの脚柱内部に設置する単一の伸縮シリンダーにより、二組の脚柱内にある長、短のケーブルがそれぞれプルアジャスターを介して、相互に連結されてプル作用することにより、二組の脚柱が同時に伸縮して昇降動作を行うことができ、よってテーブル本体の脚柱が安定して伸縮操作し、テーブルの高さ調整を簡単に行えるほか、当該構造は比較的簡易であって且つコストが比較的低いため、全体的により産業利用性及び実用価値に合致する。
【００１５】
以上をまとめると、本考案のテーブル本体脚柱の安定昇降構造の構成は、二組の脚柱を内筒体、外筒体で組み合わせたものであり、外部のプルハンドルよりケーブルで制御される伸縮シリンダーのうち一組の脚柱内に設置する。及び二組の脚柱にある長・短のケーブルは各一つのプルアジャスターを介して、交互に連結して牽制する引っ張り動作を行い、特に二組の脚柱の伸縮によるテーブルの昇降操作が更に便利となると共に、安定して同時に昇降することができる。
【符号の説明】
【００１６】
１０  天板            
２０  支持横梁
２１  折畳金具
２２  折畳金具  
３０  脚柱
３１  内筒体
３２  外筒体
３３  シャフトコラムセット
３４  長いケーブル
３５  短いケーブル  
３６  ガイドホイール
３７  ガイドホイール
４０  脚柱
４１  内筒体
４２  外筒体
４３  シャフトコラムセット
４４  長いケーブル
４５  短いケーブル
４６  ガイドホイール
４７  ガイドホイール
５０  伸縮シリンダー
５１  シリンダー本体            
５２  シリンダーロッド
５３  制御パーツ
５４  圧力制御台
５５  プーラー
５６  ケーブル
５７  プルハンドル        
６０  支持棒
６１  滑車    
６２  プルアジャスター
７０  支持棒
７１  滑車
７２  プルアジャスター
【図１】
0003229666.tif 000003
【図２】
0003229666.tif 000004
【図３】
0003229666.tif 000005
【図４】
0003229666.tif 000006
【図５】
0003229666.tif 000007
【図６】
0003229666.tif 000008
【図７】
0003229666.tif 000009
【図８】
0003229666.tif 000010
【図９】
0003229666.tif 000011
【図１０】
0003229666.tif 000012
【図１１】
0003229666.tif 000013
【図１２】
0003229666.tif 000014
【図１３】
0003229666.tif 000015